(57)【要約】【課題】熟練の程度にかかわらず施術時の作業を容易にすることができ、しかもトリートメント効果を十二分に奏することができるシロダーラ用施術設備を提供する。【解決手段】持ち運びが可能な容器４と、前記容器４を支持する支持台３とを備え、前記容器４に貯めた液体を被施術者の頭部に垂らして施術する際に用いるシロダーラ用施術設備１００であって、前記容器４が、蓄えられた前記液体を垂らすための孔４ａをその底部に備え、前記支持台３が、前記容器４が載置される天板７と、前記天板７を上端において支持する脚部とを備え、前記天板７が、載置された前記容器４の前記孔４ａから垂れる前記油を通す、前記孔４ａより大なる開口部１１を有してなる。【選択図】図１
2014104030.tif 000002
【特許請求の範囲】
【請求項１】
持ち運びが可能な容器と、前記容器を支持する支持台とを備え、前記容器に貯めた液体を被施術者の頭部に垂らして施術する際に用いるシロダーラ用施術設備であって、
前記容器が、蓄えられた前記液体を垂らすための孔をその底部に備え、
前記支持台が、前記容器が載置される天板と、前記天板を支持する脚部とを備え、
前記天板が、載置された前記容器の前記孔から垂れる前記液体を通す、前記孔より大なる開口部を有してなることを特徴とするシロダーラ用施術設備。
【請求項２】
前記開口部が、所定ピッチで設けられる複数の溝からなる請求項１記載のシロダーラ用施術設備。
【請求項３】
前記脚部が、一対の側板からなり、前記それぞれの側板は腕を通すことが可能な窓を備えてなる請求項１又は２記載のシロダーラ用施術設備。
【請求項４】
前記脚部が、前記側板の後端間に設けられる後板をさらに備え、前記後板が、その下縁に、前記容器から前記頭部に垂れた後の前記液体が通過する切欠部を備える請求項３記載のシロダーラ用施術設備。
【請求項５】
前記脚部が、前記天板の高さを可変にする高さ調整機構を備えてなる請求項１、２、又は３記載のシロダーラ用施術設備。
【請求項６】
前記支持台が折畳式である請求項１、２、３、４又は５に記載のシロダーラ用施術設備。
【発明の詳細な説明】
【技術分野】
【０００１】
本発明は、温めた油を額に垂らすことにより行うシロダーラに用いるシロダーラ用施術設備に関する。
【背景技術】
【０００２】
従来、インドの伝統的医学であるアールユヴェーダにおける浄化法の一つとして、シロダーラが知られている。シロダーラは、頭部の浄化、中枢神経の強壮、精神疾患などの治療を目的として、頭部、特には額に温めた油を垂らして施術される。
【０００３】
シロダーラを施術する際の伝統的な設備としては、被施術者が仰臥するベッド、油を入れるシロダーラポット、被施術者の頭部側のベッドの端部近傍に設置されて上端近傍に片持ちのビームでシロダーラポットを吊るすためのポットスタンド、シロダーラポットをビームに吊るすためのロープあるいは鎖、及び頭部を伝って落ちる油を受けるための容器等である。シロダーラポットは例えば、金属製の半球状のもので、その底部中央に開閉弁が取り付けてあるもの、あるいは底部に設けられた孔に紐を取り付けたもの等が知られている。
【０００４】
施術に際しては、被施術者をベッドに仰臥させ、ポットスタンドを被施術者の頭部側のベッドの端部近傍に設置し、例えばロープを用いてシロダーラポットをポットスタンドのビームに吊り下げ、シロダーラポットの中に温めた油を注ぎ入れ、シロダーラポットを揺れが止まった状態に安定させる。シロダーラポットは、被施術者の額の真上に、シロダーラポットの開閉弁が来るようにその位置を微調整する。上記微調整の後に、シロダーラポットが完全に静止している状態で、開閉弁を開いて、施術を開始する。
【０００５】
施術の開始後の施術中に、シロダーラポットの中の油の残量を見ながら、温めた油をシロダーラポットに適量注ぎ入れる。油の温度は、所定の温度を維持する必要があるので、油が少量になって所定の温度より低くなる前に追加の油を注ぎ入れることが望ましい。このため、油の追加は、比較的頻繁に行うものである。
【０００６】
しかしながら、シロダーラポットは、上記したように、ロープ等で吊るされているものなので、油を追加する際に、油の注ぎ方やシロダーラポットに添えた手をシロダーラポットから離す時等に、それまで静止していたシロダーラポットがわずかに揺れることがある。このように、シロダーラポットが揺れると、油の垂れる位置が被施術者の額からずれることになる。このようにシロダーラポットが揺れている状態では、シロダーラのトリートメント効果が現れ難くなる。そのため、シロダーラポットを揺らすことなく油を追加する作業は、シロダーラの施術に長けた施術者であっても容易ではなく、経験の浅い施術者にとっては難しい作業となった。
【０００７】
このため、例えば、特許文献１に示されるように、油を溜めておく集油器、油を温めるためのヒータ、温められた油を循環させるためのポンプ及び油を額に垂らすためのノズル等を備え、ベッドに仰臥した被施術者の額に油を垂らし、額を通過した油を集油器に回収するように構成した装置が知られている。
【先行技術文献】
【特許文献】
【０００８】
【特許文献１】特開平１１−２２１２６１号公報
【発明の概要】
【発明が解決しようとする課題】
【０００９】
特許文献１のものでは、ノズルから油が垂れるので、シロダーラポットを吊るして施術するものに比較すれば作業性はよい。しかしながら、特許文献１のものでは、額に接触した油を集油器に戻し、集油器に溜まっていた油とともに再度額に滴らせるので、被施術者の額や髪の毛に付着していた汗やほこり等の異物が、集油器に戻る油に混入する可能性が高くなり、その結果、油の質が低下する傾向にあった。
【００１０】
また、施術中においては、油を循環させるためのポンプが作動して、常時低い音を発生させているため、被施術者にとってはその音が耳触りとなり、精神的に落ち着かない状態になった。
【００１１】
したがって、使用中の油の質が低下すること、及びポンプの発する機械音が被施術者の耳障りになることにより、トリートメント効果がほぼ期待できない施術となった。
【００１２】
しかも、油を循環させる構成であるので、油を循環させるための管路や、油をろ過するろ過槽等が必要であり、施術中の作業は比較的容易なものの、施術後のメンテナンスについては、作業量が多く、かなりの時間と労力とを必要とした。
【００１３】
そこで本発明は、上記したような問題を鑑みてなされたものであり、熟練の程度にかかわらず施術時の作業を容易にすることができ、しかもトリートメント効果を十二分に奏することができるシロダーラ用施術設備を提供することを目的とする。
【課題を解決するための手段】
【００１４】
すなわち、本発明のシロダーラ用施術設備は、持ち運びが可能な容器と、前記容器を支持する支持台とを備え、前記容器に貯めた液体を被施術者の頭部に垂らして施術する際に用いるシロダーラ用施術設備であって、前記容器が、蓄えられた前記液体を垂らすための孔をその底部に備え、前記支持台が、前記容器が載置される天板と、前記天板を支持する脚部とを備え、前記天板が、載置された前記容器の前記孔から垂れる前記液体を通す、前記孔より大なる開口部を備えてなることを特徴とする。
【００１５】
このような構成によれば、施術時には、天板が容器の孔より大なる開口部を備え、開口部を介して被施術者の頭部に液体を垂らすものである。この場合に、液体を貯める容器を、支持台の天板に載置するので、容器が揺れることがないので、液体を垂らす位置の位置調整を容易にすることが可能になるとともに、施術中に液体を追加する等の作業も容易にすることが可能になる。
【００１６】
液体を垂らす位置の位置調整をさらに容易にするには、前記開口部が、所定ピッチで設けられる複数の溝からなるものが望ましい。
【００１７】
施術中に、被施術者の頭部の位置調整を容易にできるようにするには、前記脚部が、一対の側板からなり、前記それぞれの側板は腕を通すことが可能な窓を備えてなるものが望ましい。
【００１８】
使用済みの液体による施術環境を汚染することなく回収するためには、前記脚部が、前記側板の後端間に設けられる後板をさらに備え、前記後板が、その下縁に、前記容器から前記頭部に垂れた後の前記液体が通過する切欠部を備えるものが望ましい。
【００１９】
施術の際に使用する施術台に応じて施術を安定して行えるようにするためには、前記脚部が、前記天板の高さを可変にする高さ調整機構を備えてなるものが望ましい。
【００２０】
支持台が、折畳式であれば、保管に要する場所を小さくすることができ、省スペース化を実現できる。
【発明の効果】
【００２１】
このように本発明のシロダーラ用施術設備によれば、液体を垂らす位置の位置調整や、液体の追加等の作業を、熟練を要することなく容易に行うことができ、しかもトリートメント効果を最大限に奏することができる。
【図面の簡単な説明】
【００２２】
【図１】本発明の実施形態の斜視図。
【図２】同実施形態の支持台を折り畳んだ状態の平面図。
【図３】同実施形態を用いた施術の状態を示す平面図。
【図４】同実施形態を用いた施術の状態を示す位置部断面側面図。
【図５】本発明の他の実施形態の支持台を示す斜視図。
【図６】本発明のさらに他の実施形態の支持台を示す斜視図。
【発明を実施するための形態】
【００２３】
この発明の実施形態を、図１〜４を参照して説明する。
【００２４】
この実施形態のシロダーラ用施術設備１００は、シロダーラを施術する際に用いるもので、被施術者１が仰臥する例えばベッド２の上に設置される支持台３と、支持台３に載置される容器であるシロダーラポット４とを備えている。
【００２５】
支持台３は例えば、木製で、脚部である左右で一対の側板５、６と天板７と後板８を備えている。この支持台３は、折畳式で、左右の側板５、６及び天板７それぞれが、後板８に蝶番９で連結されており、不使用時つまり保管時には、図２に示すように、左右の側板５、６と天板７と後板８とが重なりあって、板状になる。施術に際して、支持台３は、被施術者１の頭部１ａが位置する側のベッド２の一方の端部２ａ近傍に載置される。
【００２６】
左右の側板５、６は、天板７を支持するもので、この実施形態では例えば、長方形状の一枚の板の中央部分を切除し、枠状に形成している。つまり、左右の側板５、６はそれぞれ、上縁５ａ、６ａ、前縁５ｂ、６ｂ、後縁５ｃ、６ｃ及び下縁５ｄ、６ｄを有する枠の形状をしており、それらの縁に囲まれた部分が、板の外形と相似な形状の窓１０となる。上縁５ａ、６ａ、前縁５ｂ、６ｂ、後縁５ｃ、６ｃ及び下縁５ｄ、６ｄは、一枚の板から作られたものであるので、連続している。窓１０は、少なくとも施術中に、腕を差し入れて、被施術者1の頭部１ａに触れて頭部１ａの位置や姿勢を調整できる大きさであればよい。
【００２７】
天板７は、その上にシロダーラポット４が載置されるもので、後述するシロダーラポット４の孔４ａより大なる開口部１１を備えている。開口部１１は、左右の側板５、６の内向面と平行な方向に延びる、言い換えれば支持台３の前後方向に延びる平面視長方形状の溝１１ａを、所定ピッチで複数形成して構成される。溝１１ａと溝１１ａとの間隔は、溝１１ａの左右方向の幅よりも小さくしてあり、可能な限り溝１１ａの開口面積を大きくするように設定してある。また、天板７の裏面の、左右の側板５、６に対応する位置には、左右の側板５、６の上端を左右から挟むためのレール１１ｂが設けてある。このようにレール１１ｂを設けることにより、天板７と左右の側板５、６との位置ずれを抑えることができる。
【００２８】
後板８は、左右の側板５、６と同様に、長方形状の一枚の板の中央部分を切除して窓１２を形成し、上縁８ａ、下縁８ｂ、左縁８ｃ及び右縁を有する枠に形成している。後板８はさらに、その下縁８ｂに、シロダーラポット４から頭部１ａに垂れた後の液体である油、つまり使用後の油が通過する切欠部１３を備える。切欠部１３は、後板８の左右方向の中央に、所定の高さまで後板８を切除して形成してある。この後板８にあっても、上縁８ａ、下縁８ｂ、左縁８ｃ及び右縁は連続している。
【００２９】
シロダーラポット４は例えば、金属製で、逆円錐台形状をしており、施術者が持ち運び可能な大きさをしている。シロダーラポット４はその底部に、油を垂らすための孔４ａを有している。孔４ａは、油が連続して垂れるに十分な大きさ、例えば５ｍｍ〜１０ｍｍ程度の直径のもので、底部を構成する円板の中心に設けてある。この実施形態にあっては、孔４ａに紐１４が取り付けてあり、シロダーラポット４内に溜められる油の垂れる量を調整できるようにしてある。なお、図１においては、支持台３の構造を把握するために、シロダーラポット４を想像線で図示するとともに、理解を容易にするために、孔４ａ及び紐１４を誇張して図示している。
【００３０】
このような構成において、シロダーラの施術は、ベッド２に、被施術者１を仰臥させて実施する。まず被施術者１は、ベッド２に置かれた枕１５に頭部１ａを乗せて仰臥する。施術者は、被施術者１の額側が下がり、顎が少し上がるような角度で被施術者１の頭部１ａが支持されるように、枕１５の位置や高さを調整する。被施術者１の頭部１ａをこのように角度付けすることにより、油が垂れる額が、支持台３の後方に向かって下がる勾配が形成される。この結果、額に垂れた油は、額から頭部1ａの頂側に流れやすくなり、使用済みの油の回収を容易にすることに寄与する。
【００３１】
ベッド２の上面には、頭部１ａに垂らした油が落ちるので、その上面を、耐油性を有する可撓性の合成樹脂製のシート１６で覆う。このシート１６の被施術者１の頭部１ａ側の端部１６ａは、ベッド２の端部２ａから延出させてあり、油がその延出部分の端部１６ａを伝って、ベッド２の外側に排出されるように構成してある。図３及び図４には、油回収用のバケツ１７を設置した構成を図示している。
【００３２】
このようなベッド２に対して、折り畳まれた支持台３を開いて、支持台３を組み立てる。支持台３は、上述したように、左右の側板５、６、天板７及び後板８が折り重なっているので、天板７を開くとともに左右の側板５、６を開いて、天板７を左右の側板５、６の上端に取り付ける。天板７は、その裏面のレール１１ｂの間に左右の側板５、６の上端が差し込まれることで、左右の側板５、６により支持される。このように左右の側板５、６の上端を、その上端に対応するレール１１ｂ間に差し込むことにより、左右の側板５、６が外側に開くことを妨げることができる。しかもこの場合、天板７と左右の側板５、６とを固定するのにボルト、ナット等の固定部材を使用しないので、支持台３を容易に組み立てることができる。
【００３３】
以上のようにして組み立てた後、仰臥している被施術者１の頭部１ａを覆うようにして、支持台３をベッド２に設置する。ここで、支持台３は、天板７の左右方向の中央に位置する溝１１ａが、被施術者１の眉間を通る線上に来るように、また溝１１ａの長手方向の中央が被施術者１の額の油を垂らす垂らし位置に対応するように、位置調整をしておく。なお、被施術者１の頭部１ａと支持台３との位置調整は、天板７には所定ピッチで複数の溝１１ａがあるので、仮に被施術者１の頭部１ａが中央の溝１１ａの真下に位置しなくても、他の溝１１ａを使用することで、位置調整も容易に行うことができる。
【００３４】
使用後の油を回収する場合は、ベッド２に仰臥する被施術者１の頭部１ａ側に、油回収用のバケツ１７を置き、そのバケツ１７の中にシート１６の延出部分の端部１６ａを挿入しておく。
【００３５】
支持台３を設置し終わった後、支持台３にシロダーラポット４を載置する。この場合、シロダーラポット４の孔４ａに取り付けられている紐１４の先端が、垂らし位置の真上に位置するように、シロダーラポット４の載置位置を調整する。シロダーラポット４の載置位置の調整は、天板７の溝１１ａの内側の面に接触しない範囲で行えるので、比較的広い範囲で行うことができる。
【００３６】
しかも、シロダーラポット４は天板７に載置した状態で、支持台３の少なくとも前後方向にスライドさせて位置調整ができるため、移動させた位置で即座に紐１４の先端と被施術者１の額との位置関係を確認することができる。したがって、施術前のシロダーラポット４の位置調整を、短時間に迅速に実施することができる。
【００３７】
以上のようにしてシロダーラポット４を支持台３に載置した後、施術者は、温めた油をシロダーラポット４に適量注ぎ入れる。施術中にシロダーラポット４内に貯えられた油の温度が低下するので、例えば、温度の低下が許容範囲内でおさまる程度の量の油を、シロダーラポット４内に一度に入れる。
【００３８】
油をシロダーラポット４に注ぎ入れるに際して、シロダーラポット４は支持台３に載置されているので、従来の吊り下げられたシロダーラポット４のように揺れることがない。したがって、施術者は、シロダーラポット４に多大な注意を払うことなく、油をシロダーラポット４に注ぎ入れることができ、一人で作業を容易にすることができる。このことは、シロダーラポット４内の油が少なくなり、油を継ぎ足す場合に、シロダーラポット４の揺れを気にする必要がないので、シロダーラポット４を片手で支持する必要がなく、両手で安定して油の継ぎ足し作業を行うことができる。
【００３９】
支持台３は、左右の側板５、６及び後板８がそれぞれ、下縁５ｄ、６ｄ、８ｂを有しており、それぞれの下縁５ｄ、６ｄ、８ｂがベッド２の上のシート１６を、支持台３の自重、シロダーラポット４の自重、及び油の重量で抑えつけることになるので、使用済みの油が、ベッド２の両側方向に拡散してベッド２から流れ落ちることを防ぐ、言い換えれば施術環境が汚れることを防ぐことができる。そして、そのように流れ落ちることを妨げられた油は、後板８の切欠部１３を通過してバケツ１７に向かって流れるので、周囲に油を拡散させることなく、確実に使用済みの油を回収することができる。
【００４０】
またこのように使用済みの油を回収することができるので、シロダーラをベッド２以外、例えば畳の上に敷いた布団に被施術者１を仰臥させても施術することができる。それゆえ、高齢者や体力が低下している被施術者１や、施術所への来所が困難な人でも、自宅でシロダーラの施術を受けることができる。このような被施術者１の居所等に出張しての施術は、支持台３が折畳式であり、持ち運びを容易にすることができるために実現することができる。
【００４１】
施術を行っている最中に、被施術者１が眠る等して、被施術者１の頭部１ａの位置や姿勢が施術開始の位置や姿勢から変化すると、施術者は、被施術者１の頭部１ａが、施術開始時の位置や姿勢になるように調整する。この場合、左右の側板５、６及び後板８には、窓１０及び窓１２が形成してあるので、その窓１０、１２に腕を通して、被施術者１の頭部１ａに手が達するので、容易に頭部１ａの位置や姿勢を調整することができる。
【００４２】
また、この左右の側板５、６の窓１０は、被施術者１が周囲を見渡せる部分となるので、被施術者１が感じる圧迫感を軽減することができる。また、天板７についても、複数の溝１１ａが形成されて、開口部分が多いことにより、上側の閉塞感を軽減することができる。
【００４３】
施術後は次の施術の時まで保管するものであるが、支持台３を折り畳むことで、板状にすることができるので、保管のための専有面積を少なくすることができる。
【００４４】
なお、本発明は、上記実施形態に限定されるものではない。
【００４５】
図５に示すものは、本発明の他の実施形態の支持台２０３である。
【００４６】
この他の実施形態の支持台２０３は、天板２０７の構成が上記実施形態と異なっている以外は、上記実施形態と同じ構成である。したがって、天板２０７以外の構成要素については上記実施形態と同じ符号を付して、説明は割愛する。
【００４７】
上記実施形態の開口部１１が、支持台３の前後方向に延びる複数の溝１１ａを備えていたのに対し、この他の実施形態の天板２０７は、左右の側板５、６の内向面に垂直な方向に延び、左右方向に平行な方向に、上記実施形態と同様の所定ピッチで延びる複数の溝２１１ａを備える開口部２１１を有するものである。
【００４８】
このような開口部２１１の構成にあっても、上記実施形態と同等の効果を奏することができるものである。
【００４９】
さらに、本発明におけるさらに他の実施形態の支持台を、図６により説明する。
【００５０】
さらに他の実施形態の支持台３０３は、図６に示すように、被施術者が横たわるベッド３０２が置かれる床に設置されるもので、脚部が４本の柱状脚体３０５からなり、天板３０７の高さを可変にする高さ調整機構３５１を備えている。柱状脚体３０５は、図示しない蝶番により折り畳み可能に天板３０７と連結してあり、先端を天板３０７の中央の方向に向けて天板３０７の下側に折り畳むことができる構成である。
【００５１】
柱状脚体３０５はそれぞれ、例えば金属製のもので、外筒部材３０５ａと、その外筒部材３０５ａの内側にスライド移動可能に取り付けられる内側部材３０５ｂとからなる。外筒部材３０５ａの下端近傍には、内側部材３０５ｂを固定するための固定部材３５１ａが回転可能に取り付けられる。そして、この固定部材３５１ａに対応して内側部材３０５ｂには、所定のピッチで設けられるネジ孔３５１ｂが複数設けられる。固定部材３５１ａとネジ孔３５１ｂとにより高さ調整機構３５１が構成される。柱状脚体３０５は、金属製以外に、プラスチック製や木製であってもよい。
【００５２】
天板３０７は、平面視長方形状をしており、その中央部分に、天板３０７の外形と相似形をなす開口部３１１を有するものである。開口部３１１は、図示しない容器の底部の開口より大なる内法に形成してある。この実施形態では、長方形状の一個の開口部３１１を有する天板３０７を示したが、天板３０７は、上記それぞれの実施形態における形状の開口部１１、２１１を備えるものを用いることもできる。
【００５３】
以上の構成において、保管時は、それぞれの柱状脚体３０５が、内側部材３０５ｂを外筒部材３０５ａの中に挿入されて最も短くなっている状態で折り畳まれている。使用に際しては、それぞれの柱状脚体３０５を折り畳んだ状態から、天板３０７の下側に垂直になるまで展開する。それぞれの柱状脚体３０５は、展開した使用位置で図示しないストッパにより、位置決め固定され、天板３０７を支持する。
【００５４】
次に、固定部材３５１ａを緩め、それぞれの柱状脚体３０５の内側部材３０５ｂを引き延ばす。内側部材３０５ｂは、使用するベッド３０２の高さに合わせて外筒部材３０５ａから引き出す。つまり、外筒部材３０５ａと、外筒部材３０５ａの外側に引き出された内側部材３０５ｂとのそれぞれの長さによりそれぞれの柱状脚体３０５の長さが決まる。そして、４本の柱状脚体３０５の内側部材３０５ｂが全て同じ長さになるまでそれぞれの内側部材３０５ｂを外筒部材３０５ａから引き出した後、固定部材３５１ａをネジ孔３５１ｂにねじ込んで、外筒部材３０５ａに内側部材３０５ｂを固定することで、天板３０７の高さ調整が完了する。
【００５５】
このような構成によれば、施術に際しては上記実施形態と同等の効果を奏するとともに、柱状脚体３０５が高さ調整機構３５１を有しているので、施術に使用するベッド３０２の高さに合わせて最適な位置に天板３０７を設定することができる。また、柱状脚体３０５を折り畳むことができるので、保管に際して場所を取らず、施術場所の省スペース化を図ることができる。
【００５６】
また、このように脚部を、4本の柱状脚体３０５により形成しているので被施術者の顔の近傍に遮蔽物がなく、ベッド３０２に仰臥した被施術者に対する圧迫感を軽減することができるとともに、施術中に被施術者の頭部の位置が施術開始時の位置からずれた場合に修正する作業を容易にすることができる。
【００５７】
なお、柱状脚体３０５は、内側部材３０５ｂが天板３０７に折り畳み可能に取り付けられ、その内側部材３０５ｂが内側部材３０５ｂより下側に配置される外筒部材３０５ａに挿入される構成であってもよい。この場合、高さ調整機構３５１を構成する固定部材３５１ａは、外筒部材３０５ａの上端近傍に取り付けられる。
【００５８】
また、上記したさらに他の実施形態では、柱状脚体３０５は四角柱形状のものを説明したが、三角柱形状、多角柱形状のものや円柱形状等のものであってもよい。
【００５９】
さらに、柱状脚体３０５の高さ調整機構３５１を、ロック機構を備えるガススプリングやオイルスプリング等で構成するものであってよい。また、柱状脚体３０５自体を、ガススプリング等で構成するものであってもよい。
【００６０】
加えて、柱状脚体３０５は、以上に説明した外筒部材３０５ａと内側部材３０５ｂとの二段構成ではなく、テレスコープ状に伸縮する３段や４段構成のものであってもよい。
【００６１】
さらにまた、脚部が上記したような側板からなるものであってもよい。脚部が側板からなる場合、高さ調整機構としては上記した固定部材とネジ孔とからなるもの等が挙げられる。
【００６２】
天板７の開口部１１は、シロダーラポット４の孔４ａよりも大なる網目を有する網で構成されるものであってもよい。
【００６３】
上記実施形態にあっては、木製の支持台３を説明したが、木製以外に、透明な板材、例えばガラス、特には強化ガラスや、アクリルの板材等であってもよい。このような透明な板材を使用することにより、被施術者の視界が広がり、さらに圧迫感を軽減することができる。
【００６４】
上記実施形態では、シロダーラポット４の孔４ａに紐１４を取り付けたものを説明したが、紐１４を備えないシロダーラポット４であってもよい。
【００６５】
上記それぞれの実施形態にあっては、脚部が折り畳めるものを説明したが、脚部が天板に固定されているものであってもよい。
【００６６】
また、施術に用いる液体としては、湯であってもよい。
【００６７】
その他、本発明は前記実施形態に限られず、その趣旨を逸脱しない範囲で種々の変形が可能であるのは言うまでもない。
【符号の説明】
【００６８】
３・・・支持台
４・・・シロダーラポット
５・・・側板
６・・・側板
７・・・天板
８・・・後板
８ｂ・・・下縁
１０・・・窓
１１・・・開口部
１１ａ・・・溝
１３・・・切欠部
１００・・・シロダーラ用施術設備
【図１】
2014104030.tif 000003
【図２】
2014104030.tif 000004
【図３】
2014104030.tif 000005
【図４】
2014104030.tif 000006
【図５】
2014104030.tif 000007
【図６】
2014104030.tif 000008